(57)【特許請求の範囲】
【請求項１】
車両に搭載され、料金所の地上側設備との間で無線通信を行ない、料金決済用ＩＣカードにより通行料金の収受を自動的に行なう自動料金収受システムにおける車載器において、
予め車載器発行データが記録された発行用ＩＣカードが装着された際、該発行用ＩＣカードと相互認証を行なって正規の媒体であることを確認する確認手段と、前記確認手段により前記発行用ＩＣカードが正規の媒体であることを確認した後、該発行用ＩＣカードから車載器発行データを読取って発行処理を実行する手段とを具備し、
前記車載器発行後に装着される前記料金決済用ＩＣカードにより通行料金の収受処理を行なうことを特徴とする自動料金収受システムにおける車載器。
【請求項２】
車両に搭載され、料金所の地上側設備との間で無線通信を行ない、予め装着された料金決済用ＩＣカードにより通行料金の収受を行なう自動料金収受システムにおける車載器において、
装着されたＩＣカードとの間でデータの読取り、書込みを行なうＩＣカードインタフェースと、車載器発行時に装着される発行用ＩＣカードから前記ＩＣカードインタフェースを介して車載器発行用データを読込んで発行処理を行なうと共に、車載器発行後に装着される料金決済用ＩＣカードにより通行料金の収受を行なうＥＴＣ処理部と、料金所の地上側設備との間で無線通信を行なう無線通信処理部とを具備したことを特徴とする車載器。
【請求項３】
外部入力データを受付けるヒューマンインタフェースと、装着された発行用ＩＣカードとの間でデータの読取り、書込みを行なうＩＣカードインタフェースと、前記ヒューマンインタフェースを介して入力される外部入力データに基づき前記ＩＣカードインタフェースを介して前記発行用ＩＣカードに車載器発行用データを書込む発行データ書込み処理部とを具備したことを特徴とする発行用ＩＣカードの発行処理装置。
【請求項４】
前記発行データ書込み処理部は、装着された発行用ＩＣカードとの間で相互認証を行なう認証手段と、前記外部入力データに基づく車載器発行用データを暗号化する手段と、前記暗号化された車載器発行用データを前記認証された発行用ＩＣカードに書込む手段とを具備したことを特徴とする請求項３記載の発行用ＩＣカードの発行処理装置。
【請求項５】
前記車載器発行用データを暗号化する手段は、発行させる各車載器のＩＤに基づいて暗号鍵を生成し、この暗号鍵を用いて発行用データを暗号化することを特徴とする請求項４記載の発行用ＩＣカードの発行処理装置。
【請求項６】
外部入力される車載器発行用データを記憶する記憶手段と、車載器に装着された際、前記車載器との間で相互認証を行なう認証手段と、前記相互認証を行なった後、前記記憶手段に記憶されている車載器発行用データを前記車載器に送信する手段と、前記車載器からの処理終了通知を確認して前記記憶手段のリード／ライト機能を閉塞する手段とを具備したことを特徴とする発行用ＩＣカード。
【請求項７】
車両に搭載される車載器に料金決済用ＩＣカードを装着し、有料道路の料金所を通行する際に、前記車載器と料金所の地上側設備との間で無線通信を行なって通行料金の収受を自動的に行なう自動料金収受システムにおいて、
前記車載器を発行する際、発行処理装置により発行用ＩＣカードに発行データを書込み、この発行データが記録された発行用ＩＣカードを前記車載器に装着し、該発行用ＩＣカードに記録された発行データを車載器に転送して車載器を発行させることを特徴とする自動料金収受システムにおける車載器の発行方法。
【発明の詳細な説明】
【０００１】
【発明の属する技術分野】
本発明は、有料道路の自動料金収受システムにおける車載器の発行方法等に関する。
【０００２】
【従来の技術】
近年、有料道路の自動料金収受システムとして、車両に無線通信機能を備えた車載器を搭載し、車両が料金所を通過する際、上記車載器と料金所に設置されている地上側設備との間で無線通信を行なうことにより、通行料金の自動収受処理を行ない、車両がノンストップで料金所を通過できるようにしたシステムが開発されている。
【０００３】
図７は、上記ノンストップ自動料金収受システムの概略を示したものである。同図に示すように、有料道路を走行する車両１には、無線通信機能を備えた車載器２が搭載される。この車載器２には、予め車種情報、金額情報等が書込まれており、料金所を通過する際に通行経路情報、課金情報等が書込まれるようになっている。
【０００４】
一方、料金所には、入口ゲート、出口ゲート等に地上側設備、例えば上記車載器２との間で信号の送受信を行なう路側アンテナ５、この路側アンテナ５を介して通信を行なう路側通信装置６、車載器２との送受信データを処理する路側処理装置７等が設けられる。
【０００５】
上記車載器２は、図８に示すようにＩＣカード３が着脱できるようになっている。このＩＣカード３には、予めＩＤ番号、前払い方式あるいは後払い方式による金額情報が書込まれており、その金額情報が課金処理に応じて書き換えられる。
【０００６】
そして、上記車載器２に対する発行処理、すなわち、ノンストップ有料道路の利用に必要な車載器情報のインストールは、従来では図９に示す方法により行なわれている。
【０００７】
（１）利用者１１は、先ず、小売店１２で、発行処理のなされていない車載器を購入する。
（２）次に利用者１１は、発行装置が設置されている料金所等の発行処理取扱所１３まで車載器を持参する。
【０００８】
（３）発行処理取扱所１３は、利用者１１が持参した車載器を図１０に示す車載器発行装置１４により必要な情報をインストールした後、その車載器を利用者１１に渡す。
【０００９】
上記車載器発行装置１４は、図１０に示すように、電波をシールドする構造の筐体１５内に、発行処理制御部１６、通信用のアンテナ１７、車載器２を筐体１５内に収納するための引き出し１８を設けている。そして、発行処理する車載器２を引き出し１８により筐体１５内に収納して外部からの電波をシールドし、その後、発行処理制御部１６から必要な情報をアンテナ１７を介して車載器２に送信し、車載器２内に設けられているアンテナを介して内部メモリに記憶させる。
上記のようにして車載器に対する発行処理が行なわれる。
【００１０】
【発明が解決しようとする課題】
上記従来の車載器の発行方法では、小売店１２から購入した車載器を料金所等の発行処理取扱所１３まで持参して発行処理を受ける必要があり、利用者にとって負担となる。この場合、車載器を発行処理取扱所１３に郵送する方法も考えられるが、車載器自体の可搬性が悪いため、梱包作業等の必要もあり、やはり利用者にとって手間のかかるものとなる。
【００１１】
本発明は上記の課題を解決するためになされたもので、小売店から購入した車載器を料金所等の発行処理取扱所まで持参する必要がなく、車載器に対する発行処理を容易に、かつ、確実に行なうことができる自動料金収受システムにおける車載器の発行方法を提供することを目的とする。
【００１２】
【課題を解決するための手段】
第１の発明は、車両に搭載され、料金所の地上側設備との間で無線通信を行ない、料金決済用ＩＣカードにより通行料金の収受を自動的に行なう自動料金収受システムにおける車載器において、予め車載器発行データが記録された発行用ＩＣカードが装着された際、該発行用ＩＣカードと相互認証を行なって正規の媒体であることを確認する確認手段と、前記確認手段により前記発行用ＩＣカードが正規の媒体であることを確認した後、該発行用ＩＣカードから車載器発行データを読取って発行処理を実行する手段とを具備し、前記車載器発行後に装着される前記料金決済用ＩＣカードにより通行料金の収受処理を行なうことを特徴とする。
第２の発明は、車両に搭載され、料金所の地上側設備との間で無線通信を行ない、予め装着された料金決済用ＩＣカードにより通行料金の収受を行なう自動料金収受システムにおける車載器において、装着されたＩＣカードとの間でデータの読取り、書込みを行なうＩＣカードインタフェースと、車載器発行時に装着される発行用ＩＣカードから前記ＩＣカードインタフェースを介して車載器発行用データを読込んで発行処理を行なうと共に、車載器発行後に装着される料金決済用ＩＣカードにより通行料金の収受を行なうＥＴＣ処理部と、料金所の地上側設備との間で無線通信を行なう無線通信処理部とを具備したことを特徴とする。
第３の発明に係る発行用ＩＣカードの発行処理装置は、外部入力データを受付けるヒューマンインタフェースと、装着された発行用ＩＣカードとの間でデータの読取り、書込みを行なうＩＣカードインタフェースと、前記ヒューマンインタフェースを介して入力される外部入力データに基づき前記ＩＣカードインタフェースを介して前記発行用ＩＣカードに車載器発行用データを書込む発行データ書込み処理部とを具備したことを特徴とする。
第４の発明は、第３の発明に係る発行用ＩＣカードの発行処理装置において、発行データ書込み処理部は、装着された発行用ＩＣカードとの間で相互認証を行なう認証手段と、前記外部入力データに基づく車載器発行用データを暗号化する手段と、前記暗号化された車載器発行用データを前記認証された発行用ＩＣカードに書込む手段とを具備したことを特徴とする。
第５の発明は、第４の発明に係る発行用ＩＣカードの発行処理装置において、車載器発行用データを暗号化する手段は、発行させる各車載器のＩＤに基づいて暗号鍵を生成し、この暗号鍵を用いて発行用データを暗号化することを特徴とする。
第６の発明に係る発行用ＩＣカードは、外部入力される車載器発行用データを記憶する記憶手段と、車載器に装着された際、前記車載器との間で相互認証を行なう認証手段と、前記相互認証を行なった後、前記記憶手段に記憶されている車載器発行用データを前記車載器に送信する手段と、前記車載器からの処理終了通知を確認して前記記憶手段のリード／ライト機能を閉塞する手段とを具備したことを特徴とする。
第７の発明は、車両に搭載される車載器に料金決済用ＩＣカードを装着し、有料道路の料金所を通行する際に、前記車載器と料金所の地上側設備との間で無線通信を行なって通行料金の収受を自動的に行なう自動料金収受システムにおいて、前記車載器を発行する際、発行処理装置により発行用ＩＣカードに発行データを書込み、この発行データが記録された発行用ＩＣカードを前記車載器に装着し、該発行用ＩＣカードに記録された発行データを車載器に転送して車載器を発行させることを特徴とする。
【００１３】
【発明の実施の形態】
以下、図面を参照して本発明の一実施形態を説明する。
本発明は、車両に搭載される車載器に料金決済用ＩＣカードを装着し、有料道路の料金所を通行する際に、前記車載器と料金所の地上側設備との間で無線通信を行なって通行料金の収受を自動的に行なう自動料金収受システムにおいて、図１に示す方法により車載器を発行するようにしたものである。
【００１４】
（１）利用者１１は、小売店１２から車載器を購入する際、図２に示すように車載器２を購入すると共に、データが記録されていない空の発行用ＩＣカード３Ａ及び申込書を取得する。
【００１５】
（２）次に利用者１１は、発行用ＩＣカード３Ａと共に必要な事項を記載した申込書を郵送等の手段により発行処理取扱所１３へ送付する。
（３）発行処理取扱所１３は、利用者１１から送られてきた発行用ＩＣカード３Ａを図３に示す専用の発行処理装置２０に装着し、申込書の記載事項に基づいて必要な発行データを発行用ＩＣカード３Ａに格納する。
【００１６】
（４）発行処理取扱所１３は、データ書込みが終了した発行用ＩＣカード３Ａを利用者１１へ返送する。
（５）利用者１１は、発行処理取扱所１３から送られてきた発行用ＩＣカード３Ａを図２及び図４に示す車載器２に装着し、発行用ＩＣカード３Ａに格納されているデータを車載器２の内部メモリに転送する。
【００１７】
以上の手順により車載器２に対する発行処理を終了する。
上記発行処理装置２０は、例えば料金所等の道路事業者の管理下に設置されるもので、図３に示すように発行データ書込み処理部２１、発行用ＩＣカード３Ａに対するＩＣカードインタフェース２２、キーボード等に対するヒューマンインタフェース２３等からなっている。上記発行データ書込み処理部２１は、例えばオペレータのキー操作により発行データ、ＩＣカードパスワード等のデータがヒューマンインタフェース２３を介して入力され、ＩＣカードの認証処理、データ書込み処理、ＩＣカード解凍処理等を実行する。
【００１８】
また、上記車載器２は、図４に示すように、ＩＣカードインタフェース３１、キーボード等に対するヒューマンインタフェース３２、ＥＴＣ（Electronic Toll Collection：ノンストップ自動料金収受システム）処理部３３、無線通信処理部３４、アンテナ３５等からなっている。上記ＥＴＣ処理部３３は、発行処理機能を備えており、発行用ＩＣカード３Ａに格納されているデータを内部メモリに転送することにより、車載器発行処理を行なう。また、ＥＴＣ処理部３３は、発行処理を終了した後は、車両の走行中、料金所を通行する際に無線通信処理部３４及びアンテナ３５を介して地上側設備とデータの送受信を行ない、ＥＴＣ処理を実行する。
【００１９】
次に車載器の発行処理の詳細について説明する。
図１に示したように、利用者１１は小売店１２から車載器を購入する際、車載器２と共に、データが記録されていない空の発行用ＩＣカード３Ａ並びに発行申込書を入手する。
【００２０】
上記小売店１２で販売する車載器２には、予め全車載器に対してユニークな車載器ＩＤと発行時に車載器２が発行用ＩＣカード３Ａを認証し暗号を解くためのその車載器固有の鍵が情報として記録されている。このとき鍵は利用者１１には視覚的に判断できないように秘匿されているが、車載器ＩＤは視覚により判断できるようにケース外側等に明示されている。
【００２１】
また、発行用ＩＣカード３Ａには、権利のある者以外が勝手に情報を書込みできないようにするため、書込み処理時には発行処理取扱所１３のみが知っているパスワード等による相手認証の仕組みを有している。そして、利用者１１は、発行申込書に、氏名、住所、電話番号、車両の型、ナンバープレート、車載器ＩＤ等の所定の情報を記述し、発行用ＩＣカード３Ａと一緒に発行処理取扱所１３へ郵送等で送付する。
【００２２】
発行用ＩＣカード３Ａと発行申込書を受理した発行処理取扱所１３は、発行処理装置２０により、所定の手続に従い、発行用ＩＣカード３Ａに申込書に記載された内容を元に生成した発行データを書込む。このとき発行データは、暗号化されて発行用ＩＣカード３Ａに書込まれる。この暗号文は、申込書に記載された車載器ＩＤを元に計算された鍵を用いて暗号化されるが、この鍵は車載器ＩＤに該当する車載器２に記録されている鍵と一致しているので、その車載器２のみが解くことのできる暗号文となっている。この暗号化の目的は、発行用ＩＣカード３Ａの返送過程等において発行用ＩＣカード３Ａの内部に記録されている利用者のプライバシーに関わる情報を秘匿するためである。
【００２３】
以下、上記発行処理装置２０による発行用ＩＣカード３Ａへのデータ書込み処理、及びこの発行用ＩＣカード３Ａを用いた車載器発行処理の詳細な動作を図５及び図６に示すフローチャートに従って説明する。
【００２４】
図５（ａ）は発行処理装置２０における発行データ書込み処理部２１の動作、同図（ｂ）は発行用ＩＣカード３Ａの動作を示すフローチャートである。
発行用ＩＣカード３Ａを発行処理装置２０に装着すると、図５のフローチャートに示すように発行処理装置２０から発行用ＩＣカード３Ａに電源が供給され、イニシャル処理が実行される（ステップＢ１）。
【００２５】
一方、発行処理装置２０の取扱者は、申込書の記載データに基づいて生成した発行データをキー操作により入力する（ステップＡ１）。この入力データは、図３に示したようにヒューマンインタフェース２３を介して発行データ書込み処理部２１へ送られる。
次いで、発行処理装置２０及び発行用ＩＣカード３Ａは、相互に認証動作を行ない（ステップＡ２、ステップＢ２）、その認証結果を判断する（ステップＡ３、ステップＢ３）。発行データ書込み処理部２１は、認証が正しく行なわれたと判断すると、その旨を表示部に表示する。取扱者は、認証結果を確認すると、ＩＣカードパスワードを入力する（ステップＡ４）。このパスワードは、発行データ書込み処理部２１から発行用ＩＣカード３Ａに送信される。発行用ＩＣカード３Ａは、パスワードを受信すると、その照合を行ない（ステップＢ４）、パスワード照合結果の応答を発行データ書込み処理部２１へ返信する（ステップＢ５）。また、発行用ＩＣカード３Ａは、上記パスワードの照合が正しく行なわれたか否かを判断し（ステップＢ６）、パスワードが正しければ、リード／ライト機能の閉塞を解除し（ステップＢ７）、発行データの受け入れを準備する。
【００２６】
一方、発行データ書込み処理部２１は、上記発行用ＩＣカード３Ａからのパスワード照合応答を受信すると（ステップＡ５）、暗号鍵を生成し（ステップＡ６）、その暗号鍵により発行データを暗号化して発行用ＩＣカード３Ａに送信する（ステップＡ７、Ａ８）。
【００２７】
発行用ＩＣカード３Ａは、発行データ書込み処理部２１から送られてくる発行データを受信すると、そのデータをメモリに記憶し（ステップＢ８）、データ書込み応答を返信する（ステップＢ９）。このステップＢ８、Ｂ９の処理は、上記発行データを受信する毎に繰り返して実行する。
【００２８】
発行データ書込み処理部２１は、上記発行データを送信した後、発行用ＩＣカード３Ａからデータ書込み応答が送られてきたかどうかを判断し（ステップＡ９）、所定の時間待っても応答がなければ発行データを再度送信する。そして、データ書込みの応答を受信すると、「ＯＫ」の処理終了通知を発行用ＩＣカード３Ａに送信し（ステップＡ１０）、また、上記発行データの送信を予め設定した回数繰り返してもデータ書込み応答がなければ、「ＮＧ」の処理終了通知を発行用ＩＣカード３Ａに送信する（ステップＡ１１）。なお、上記ステップＡ３で認証結果が「ＮＧ」であると判断された場合、あるいはステップＡ５でパスワード照合応答が「ＮＧ」または「なし」と判断された場合においても、上記ステップＡ１１に示した「ＮＧ」の処理終了通知を行なう。
【００２９】
発行用ＩＣカード３Ａは、上記ステップＢ９でデータ書込み応答を返信した後、発行データ書込み処理部２１から「ＯＫ」または「ＮＧ」の処理終了通知が送られてきたか否かを判断し（ステップＢ１０）、「ＯＫ」の処理終了通知が送られてくると処理を正常終了する。また、発行用ＩＣカード３Ａは、発行データ書込み処理部２１から「ＮＧ」の処理終了通知が送られてきた場合、あるいは所定の時間内に処理終了通知が送られてこなかった場合にはリード／ライト機能を閉塞し（ステップＢ１１）、発行データが書込まれない状態のまま処理を終了する。なお、ステップＢ３で認証結果が「ＮＧ」である判断された場合、あるいはステップＢ６でパスワード照合が「ＮＧ」である判断された場合においても、上記ステップＢ１１に示したリード／ライト機能の閉塞処理を実行する。
【００３０】
発行処理取扱所１３は、上記のようにして発行用ＩＣカード３Ａに対する発行データの書込み処理を行ない、発行データが正しく書込まれた発行用ＩＣカード３Ａを利用者１１に返送する。
【００３１】
利用者１１は、発行処理取扱所１３から返送されてきた発行用ＩＣカード３Ａを用いて車載器発行処理を行なう。
以下、上記発行用ＩＣカード３Ａによる車載器発行処理の詳細を図６に示すフローチャートに従って説明する。
図６（ａ）は車載器２の動作、同図（ｂ）は発行用ＩＣカード３Ａの動作を示すフローチャートである。
利用者１１は、発行処理取扱所１３から返送されてきた発行用ＩＣカード３Ａを図２に示すように車載器２に装着し、図６に示すように車載器２の電源をオンする（ステップＤ１）。これにより車載器２のイニシャル処理が実行されると共に、車載器２から発行用ＩＣカード３Ａに電源が供給されてイニシャル処理が実行される（ステップＤ１）。このとき発行用ＩＣカード３Ａは、リード／ライト機能閉塞状態が解除された状態となっている。
【００３２】
次いで、発行用ＩＣカード３Ａ及び車載器２は、相互に認証動作を行ない、互いに正規の媒体であることを確認する（ステップＣ２、ステップＤ２）。また、発行用ＩＣカード３Ａは、車載器２から車載器ＩＤを読み取り、この車載器ＩＤと発行用ＩＣカード３Ａに記録された発行先車載器ＩＤと一致しているかどうかを確認する。
【００３３】
その後、発行用ＩＣカード３Ａは、認証結果を判断し（ステップＣ３）、認証結果が「ＯＫ」であり、かつＩＤが一致していれば暗号化された発行データを車載器２へ送信する（ステップＣ４）。上記認証結果が「ＮＧ」またはＩＤが不一致の場合は、そのまま処理を終了し、発行用ＩＣカード３Ａ内の情報を外部に転送することを禁止する。
【００３４】
一方、車載器２は、上記ステップＤ２の相互認証を行なった際、その認証結果が「ＯＫ」であるか否かを判断し（ステップＤ３）、「ＯＫ」であれば発行用ＩＣカード３Ａから送られてくる発行データを受信し（ステップＤ４）、その暗号を解いて内部メモリに格納する（ステップＤ５）。そして、このデータの書込み結果を判断し、「ＮＧ」であればステップＤ４に戻ってリトライする。この発行データ受信のリトライが設定された回数をオーバした場合には、「ＮＧ」の処理終了通知を発行用ＩＣカード３Ａに行ない（ステップＤ８）、未発行の状態で処理を終了する。上記ステップＤ６におけるデータの書込み結果が「ＯＫ」であれば、「ＯＫ」の処理終了通知を発行用ＩＣカード３Ａに行なう。
【００３５】
発行用ＩＣカード３Ａは、ステップＣ４で発行データを送信した後、車載器２から処理終了通知が送られてきたか否かを判断し、「ＯＫ」の処理終了通知を受信すると、リード／ライト機能を閉塞する。すなわち、同じ発行用ＩＣカード３Ａの再利用を防止するため、発行処理取扱所１３のみが知る特定の解凍手続を施さない限り、発行用ＩＣカード３Ａと外部とのデータ入出力機能を凍結させる。但し、発行用ＩＣカード３Ａは、解凍手続を行なうのに必要な最小限の外部データ読取機能のみは動作可能な状態に保持する。そして、発行用ＩＣカード３Ａは、上記リード／ライト機能を閉塞したことを車載器２へ通知して発行処理を正常終了する。なお、上記ステップＣ５で、車載器２から「ＮＧ」の処理終了通知を受けた場合、あるいは所定の時間内に処理終了通知が送られてこなかった場合は、発行処理が未完状態のまま処理を終了する。
【００３６】
車載器２は、発行用ＩＣカード３Ａからリード／ライト機能閉塞通知が送られてきたか否かを判断し（ステップＤ９）、リード／ライト機能閉塞通知が正常に送られてくると、発行処理を正常終了する。発行用ＩＣカード３Ａからリード／ライト機能閉塞通知が「ＮＧ」であった場合、あるいは所定の時間内にリード／ライト機能閉塞通知が送られてこなかった場合には、未発行状態のまま処理を終了する。
【００３７】
以上で車載器２に対する発行処理を終了し、車載器２から発行用ＩＣカード３Ａを取り出す。上記発行処理を終了した車載器２には、料金決済用のＩＣカードを装着することにより、有料道路の料金所に対する自動料金収受処理が可能となる。
【００３８】
なお、上記実施形態では、利用者１１が小売店１２から車載器２を購入する際、発行用ＩＣカード３Ａ及び申込書を取得し、この発行用ＩＣカード３Ａ及び申込書を発行処理取扱所１３へ郵送等の手段で送付するようにしたが、その他、次のような方法により車載器２の発行処理を行なうようにしても良い。
【００３９】
すなわち、発行処理取扱所１３に予め空の発行用ＩＣカード３Ａを用意しておく。そして、利用者１１が小売店１２から車載器２を購入する際、申込書のみを取得し、この申込書に必要事項を記載して発行データ書込み処理部２１へ送付する。発行処理取扱所１３は、利用者１１から送られてきた申込書の記載事項に基づいて発行用ＩＣカード３Ａに発行データを書込んで利用者１１に送付する。
【００４０】
上記の方法を用いた場合には、利用者１１は、申込書のみを発行処理取扱所１３へ送付すれば良く、発行用ＩＣカード３Ａを送付する必要がないので、発行処理取扱所１３への申込みが容易となる。
【００４１】
【発明の効果】
以上詳記したように本発明によれば、利用者は小売店から車載器を購入する際、発行用ＩＣカード及び申込書を取得し、この発行用ＩＣカード及び申込書を発行処理取扱所へ送付して、発行用ＩＣカードに発行データを記録してもらうようにしたので、利用者の負担を著しく軽減することができる。すなわち、ＩＣカードは可搬性が高いので、郵送等の手段を用いた発行処理取扱所へ容易に送付することができる。また、利用者は、発行処理取扱所から送られてきた発行用ＩＣカードを車載器に装着するだけで、発行データが車載器に転送されて発行処理が行なわれるので、それ程負担とはならない。
【００４２】
また、発行処理取扱所に予め発行用ＩＣカードを用意しておき、利用者が申込書のみを発行処理取扱所に送付することにより、発行処理取扱所にて申込書の記載事項に基づいて発行用ＩＣカードに発行データを書込んで利用者に送付するようにした場合には、利用者の負担を更に軽減することができる。
【図面の簡単な説明】
【図１】本発明の一実施形態に係る自動料金収受システムにおける車載器の発行方法の概略を示す流れ図。
【図２】同実施形態における車載器と発行用ＩＣカードの外観構成を示す斜視図。
【図３】同実施形態における発行処理装置の概略構成を示すブロック図。
【図４】同実施形態における車載器の概略構成を示すブロック図。
【図５】同実施形態における発行処理装置による発行用ＩＣカードへのデータ書込みの動作を示すフローチャート。
【図６】同実施形態における発行用ＩＣカードを用いた車載器発行処理時の動作を示すフローチャート。
【図７】ノンストップ自動料金収受システムの概略構成を示す図。
【図８】ＩＣカードを利用した車載器の構成図。
【図９】従来の自動料金収受システムにおける車載器の発行方法を示す流れ図。
【図１０】従来の車載器発行装置の概略構成図。
【符号の説明】
１  車両
２  車載器
３  ＩＣカード
３Ａ  発行用ＩＣカード
５  路側アンテナ
６  路側通信装置
７  路側処理装置
１１  利用者
１２  小売店
１３  発行処理取扱所
２０  発行処理装置
２１  発行データ書込み処理部
２２  ＩＣカードインタフェース
２３  ヒューマンインタフェース
３１  ＩＣカードインタフェース
３２  ヒューマンインタフェース
３３  ＥＴＣ処理部
３４  無線通信処理部
３５  アンテナ
【図１】
0003679910.tif 000002
【図２】
0003679910.tif 000003
【図３】
0003679910.tif 000004
【図４】
0003679910.tif 000005
【図５】
0003679910.tif 000006
【図６】
0003679910.tif 000007
【図７】
0003679910.tif 000008
【図８】
0003679910.tif 000009
【図９】
0003679910.tif 000010
【図１０】
0003679910.tif 000011